(57)【特許請求の範囲】
【請求項１】
記憶媒体に記憶された録画コンテンツを、表示部に一覧表示させる録画コンテンツ一覧表示手段と、
前記一覧表示された録画コンテンツから、ユーザによる第１の選択指示に応じて一つの録画コンテンツを選択する第１の選択手段と、
前記第１のコンテンツ選択手段によって選択された録画コンテンツの関連コンテンツを検出する関連コンテンツ検出手段と、
前記ユーザによる所定のキー操作に応じて、前記選択された録画コンテンツと、前記選択された録画コンテンツに応じた操作と、前記関連コンテンツと、前記関連コンテンツに応じた操作とを提示する操作支援画面を生成する操作支援画面生成手段と、
前記操作支援画面生成手段によって生成された操作支援画面を表示する支援画面表示手段と、
前記操作支援画面によって提示される操作のいずれかを、前記ユーザによる第２の選択指示に応じて選択する第２の選択手段と、
前記第２の選択手段によって選択された操作を実行する動作制御手段と、
を備える情報処理装置。
【請求項２】
前記操作支援画面は、前記選択された録画コンテンツに応じた操作として、前記録画コンテンツの削除を提示する、請求項１に記載の情報処理装置。
【請求項３】
前記選択された録画コンテンツを含むコンテンツシリーズについて、前記ユーザの操作傾向を記憶する操作傾向記憶手段を更に備え、
前記選択された録画コンテンツ及び前記選択された録画コンテンツに応じた削除操作の前記操作支援画面上での提示位置は、前記ユーザの操作傾向に応じて決定される、請求項２に記載の情報処理装置。
【請求項４】
前記操作傾向記憶手段は、前記ユーザが視聴後直ぐにコンテンツを削除する傾向があるコンテンツシリーズ名を記憶し、
前記操作傾向記憶手段によってコンテンツシリーズ名が記憶されている録画コンテンツ及び前記録画コンテンツに応じた削除操作は、前記操作支援画面上で上位に提示される、請求項３に記載の情報処理装置。
【請求項５】
番組表情報を管理する番組表管理手段をさらに備え、
前記関連コンテンツ検出手段は、前記番組表管理手段が管理する番組表情報から前記関連コンテンツを検出する、請求項１に記載の情報処理装置。
【請求項６】
前記操作支援画面は、前記関連コンテンツに応じた操作として、前記関連コンテンツの録画予約を提示する、請求項５に記載の情報処理装置。
【請求項７】
前記記憶媒体に記憶された録画コンテンツを管理する録画コンテンツ管理手段をさらに備え、
前記関連コンテンツ検出手段は、前記録画コンテンツ管理手段が管理する録画コンテンツから前記関連コンテンツを検出する、請求項１に記載の情報処理装置。
【請求項８】
前記操作支援画面は、前記関連コンテンツに応じた操作として、前記関連コンテンツの再生を提示する、請求項７に記載の情報処理装置。
【請求項９】
前記操作支援画面は、前記関連コンテンツに応じた操作として、前記関連コンテンツの削除を提示する、請求項７に記載の情報処理装置。
【請求項１０】
前記関連コンテンツ検出手段は、ネットワークを介して外部サーバから前記関連コンテンツを検出する、請求項１に記載の情報処理装置。
【請求項１１】
前記操作支援画面は、前記外部サーバが配信するコンテンツに応じた操作として、前記外部サーバが配信するコンテンツの再生を提示する、請求項１０に記載の情報処理装置。
【請求項１２】
前記関連コンテンツは、前記外部サーバが提供する、前記選択された録画コンテンツに関連する広告サービスコンテンツを含み、
前記操作支援画面は、前記サービスコンテンツに応じた操作として、前記サービスコンテンツの利用を提示する、請求項１０に記載の情報処理装置。
【請求項１３】
前記選択された録画コンテンツ、前記選択された録画コンテンツに応じた操作、前記関連コンテンツ、及び前記関連コンテンツに応じた操作の、前記操作支援画面上での提示位置は、ネットワークを介して外部サーバによって指定される、請求項１に記載の情報処理装置。
【請求項１４】
前記操作支援画面には、前記選択された録画コンテンツ及び前記関連コンテンツがリスト表示される、請求項１に記載の情報処理装置。
【請求項１５】
前記リスト表示された録画コンテンツ及び関連コンテンツから、前記ユーザによる第３の選択指示に応じて、一つのコンテンツを選択する第３の選択手段を更に備え、
前記第３の選択手段によって選択されたコンテンツに応じた操作は、前記ユーザが前記第３の選択指示に用いたキーの種類に応じて決定される請求項１４に記載の情報処理装置。
【請求項１６】
記憶媒体に記憶された録画コンテンツを、表示部に一覧表示し、
前記一覧表示された録画コンテンツから、ユーザによる第１の選択指示に応じて一つの録画コンテンツを選択し、
前記選択された録画コンテンツの関連コンテンツを検出し、
前記ユーザによる所定のキー操作に応じて、前記選択された録画コンテンツと、前記選択された録画コンテンツに応じた操作と、前記関連コンテンツと、前記関連コンテンツに応じた操作とを提示する操作支援画面を生成し、
前記生成された操作支援画面を表示し、
前記操作支援画面によって提示される操作のいずれかを、前記ユーザによる第２の選択指示に応じて選択し、
前記第２の選択指示に応じて選択された操作を実行する操作支援画面表示方法。
【発明の詳細な説明】
【技術分野】
【０００１】
本発明は、情報処理装置及び操作支援画面表示方法に関する。
【背景技術】
【０００２】
近年、受信した放送信号をデジタルデータに変換して、ハードディスクや光ディスク等の記憶媒体に記憶し、必要に応じて再生する情報記録再生装置が開発されている。
【０００３】
特許文献１には、再生中の録画番組あるいは視聴中のオンエア番組を基点番組として、この基点番組に関連する番組についてデータベース検索を行い、検索結果を基点番組との関連度の強い項目の順に配置して、基点番組関連情報ページを生成する技術が記載されている。
【特許文献１】特開２００４−３５７１８４号公報（段落００７１、図５）
【発明の開示】
【発明が解決しようとする課題】
【０００４】
ハードディスク等の記憶容量の大きい記憶媒体は、多くの番組を記憶することが可能である。しかしながら、記憶媒体に記憶された多数の番組のリストから、ユーザが目的の番組を探し出して操作を行うには、手間がかかり、操作も複雑になる。
【０００５】
本発明は、前記のような問題に鑑みなされたもので、録画コンテンツ及びその関連コンテンツに応じた操作を提示可能な情報処理装置及び操作支援画面表示方法を提供することを目的とする。
【課題を解決するための手段】
【０００６】
本発明に係る情報処理装置は、記憶媒体に記憶された録画コンテンツを、表示部に一覧表示させる録画コンテンツ一覧表示手段と、前記一覧表示された録画コンテンツから、ユーザによる第１の選択指示に応じて一つの録画コンテンツを選択する第１の選択手段と、前記第１のコンテンツ選択手段によって選択された録画コンテンツの関連コンテンツを検出する関連コンテンツ検出手段と、前記ユーザによる所定のキー操作に応じて、前記選択された録画コンテンツと、前記選択された録画コンテンツに応じた操作と、前記関連コンテンツと、前記関連コンテンツに応じた操作とを提示する操作支援画面を生成する操作支援画面生成手段と、前記操作支援画面生成手段によって生成された操作支援画面を表示する支援画面表示手段と、前記操作支援画面によって提示される操作のいずれかを、前記ユーザによる第２の選択指示に応じて選択する第２の選択手段と、前記第２の選択手段によって選択された操作を実行する動作制御手段と、を備える。
本発明に係る操作支援画面表示方法は、記憶媒体に記憶された録画コンテンツを、表示部に一覧表示し、前記一覧表示された録画コンテンツから、ユーザによる第１の選択指示に応じて一つの録画コンテンツを選択し、前記選択された録画コンテンツの関連コンテンツを検出し、前記ユーザによる所定のキー操作に応じて、前記選択された録画コンテンツと、前記選択された録画コンテンツに応じた操作と、前記関連コンテンツと、前記関連コンテンツに応じた操作とを提示する操作支援画面を生成し、前記生成された操作支援画面を表示し、前記操作支援画面によって提示される操作のいずれかを、前記ユーザによる第２の選択指示に応じて選択し、前記第２の選択指示に応じて選択された操作を実行する。
【発明の効果】
【０００７】
本発明によれば、操作支援画面によって、選択された録画コンテンツ及びこの録画コンテンツの関連コンテンツに応じた操作を提示することができる。
【発明を実施するための最良の形態】
【０００８】
以下、図面を参照してこの発明の実施形態を説明する。
【０００９】
第１の実施形態
図１は、本発明の実施形態に係る情報記録再生装置（番組再生装置）の概略構成を示すブロック図である。
【００１０】
図１の記録再生装置は、マイクロコンピュータブロック３０、エンコーダ部５０、デコーダ部６０を備えている。
【００１１】
マイクロコンピュータブロック３０は、図示しないＭＰＵ（マイクロプロセッシングユニット）、またはＣＰＵ（セントラルプロセッシングユニット）を有し、記録再生装置の各ブロックの動作を制御する。マイクロコンピュータブロック３０は、制御プログラム等が書きこまれたＲＯＭ、プログラム実行に必要なワークエリアを提供するためのＲＡＭ等を備えている。
【００１２】
マイクロコンピュータブロック３０は、再生制御部３１１、記録制御部３１２、予約録画制御部３１３を有する。再生制御部３１１は、受信した放送番組データや記憶媒体に記憶された番組データの再生処理を制御する。記録制御部３１２は、番組データの記憶媒体への記録処理を制御する。予約録画制御部３１３は、番組の予約録画処理の制御を行う。また、マイクロコンピュータブロック３０は、後述する番組情報管理部３２１、録画番組情報管理部３２２、録画番組リスト表示制御部３２３、関連コンテンツ検出部３２４、操作支援画面生成部３２５、操作支援画面表示制御部３２６も備えている。このマイクロコンピュータブロック３０は、ネットワークインターフェース３０ａを介して外部ネットワーク２００に接続し、外部のサーバ２１０と情報のやり取りを行うことができる。
【００１３】
マイクロコンピュータブロック３０には、この記憶再生装置を操作するための操作信号が、キー入力部４４から入力される。このキー入力部４４は、例えば記録再生装置の本体上に設けた操作スイッチ類、あるいはリモートコントローラ等である。有線通信、無線通信、光通信あるいは赤外線通信等によってこの記録再生装置に接続されるパーソナルコンピュータが、キー入力部４４として採用されてもよい。キー入力部４４は、決定キー、停止キー、終了キー、カーソルキーなど各種の操作キーを備えている。ユーザはこのキー入力部４４を操作して、受信もしくは入力された映像信号や音声信号の記録処理、記憶媒体に記憶されたコンテンツの再生処理、あるいは記憶媒体に記憶されたコンテンツに対する編集処理等の実行を指示することができる。
【００１４】
マイクロコンピュータブロック３０のＭＰＵ（またはＣＰＵ）の実行結果のうち、ユーザに通知すべき内容は、表示部４３に表示されるか、またはモニターディスプレイ３００１にＯＳＤ（オンスクリーンディスプレイ）表示される。
【００１５】
図１に示す情報記憶再生装置は、記憶媒体（情報記憶媒体）としてＤＶＤ−ＲＡＭ、ＤＶＤ±ＲＷ、ＤＶＤ±Ｒ、ＤＶＤ−ＲＯＭ（ＤＶＤビデオ）、ＣＤ−ＲＷ、ＣＤ−Ｒ、ＣＤ−ＲＯＭ（音楽ＣＤ）などの光ディスクとハードディスクの双方を取り扱うことができる。これらのハードディスクや光ディスクは、半導体メモリ等の他の記憶媒体と置換（あるいは併用）されてもよい。
【００１６】
この記録再生装置は、光ディスクドライブ部１００２と、ハードディスクドライブ部２００１の２種類のディスクドライブ部を有する。光ディスクドライブ部１００２は、光ディスク１００１に対する回転制御系、レーザ駆動系、光学系などを有し、光ディスク１００１を回転駆動して情報の読み書きを行う。またハードディスクドライブ部２００１は、ハードディスクを駆動し、情報の読み書きを実行する。
【００１７】
データプロセッサ部１００３は、バッファ回路、変調・復調回路、エラー訂正部等を備えており、所定の記録単位または再生単位のデータを取り扱う。データプロセッサ部１００３は、光ディスクドライブ部１００２及びハードディスクドライブ部２００１に記録データを供給する。また、データプロセッサ部１００３は、光ディスクドライブ部１００２及びハードディスクドライブ部２００１により読み出された再生データを受け取る。
【００１８】
データプロセッサ部１００３は、記憶媒体に記憶されている番組データを構成するビデオオブジェクトの一部を削除したり、異なる複数の番組のビデオオブジェクトをつなげたり、といった編集処理を、マイクロコンピュータブロック３０の指示に応じて行うこともできる。
【００１９】
エンコーダ部５０には、ＡＶ入力部４１ａからの外部アナログビデオ信号と外部アナログオーディオ信号、または地上波アナログチューナ４１ｂ、地上波デジタルチューナ４１ｃ、衛星デジタルチューナ４１ｄあるいは衛星アナログチューナ４１ｅからの放送受信信号（１つまたは複数）が選択的に入力する。スイッチ（信号セレクタ）５３は、マイクロコンピュータブロック３０の制御に従って、エンコーダ部５０に入力する信号系統を切り換える。
【００２０】
エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、字幕や絵柄をビットマップデータで表す副映像のエンコーダも適宜含むことができる。
【００２１】
また、エンコーダ部５０は、トランスポートストリーム処理部及び複数のＭＰＥＧエンコーダを含む。エンコーダ部５０に含まれるＭＰＥＧビデオエンコーダは、入力されるデジタルビデオ信号を、ＭＰＥＧ２またはＭＰＥＧ１規格に基づいた可変ビットレートで圧縮し、ハードディスクまたは光ディスクに記録可能なデジタルビデオ信号へ変換する。デジタルオーディオ信号は、ＭＰＥＧまたはＡＣ−３規格に基づいて固定ビットレートで圧縮されたデジタルオーディオ信号、あるいは非圧縮のリニアＰＣＭのデジタルオーディオ信号に変換される。
【００２２】
エンコーダ部５０に、副映像信号がＡＶ入力部４１ａから入力した場合（例えば副映像信号の独立出力端子付ＤＶＤビデオプレーヤからの信号入力など）、あるいは副映像信号が含まれたＤＶＤビデオ信号が、地上波アナログチューナ４１ｂ、地上波デジタルチューナ４１ｃ、衛星デジタルチューナ４１ｄまたは衛星アナログチューナ４１ｅを介してエンコーダ部５０に入力された場合は、エンコーダ部５０に入力した副映像信号は副映像エンコーダでエンコード（ＤＶＤ規格に基づくランレングス符号化）されて副映像のビットマップデータとなる。
【００２３】
フォーマッタ５１は、バッファメモリ５２をワークメモリとして、エンコードされたデジタルビデオ信号、デジタルオーディオ信号、副映像データを所定のフォーマットに変換する。すなわち、フォーマッタ５１は、エンコードされたデジタルビデオ信号、デジタルオーディオ信号、副映像データをパック化して、ビデオパック、オーディオパック、副映像パックとし、さらにこれらを集合して、ＤＶＤビデオ規格で規定されたフォーマット（ＤＶＤ−Ｖｉｄｅｏフォーマット）や、ＤＶＤ-レコーディング規格で規定されたフォーマット（ＤＶＤ−ＶＲフォーマット）に変換する。ただしデジタル放送のトランスポートストリーム（ＭＰＥＧ２−ＴＳ）をストリーム記録する場合には、フォーマット変換は必要ない。
【００２４】
なお、圧縮された（エンコード済みの）デジタルビデオ信号やデジタルオーディオ信号が、エンコーダ部５０に直接入力される場合は、エンコード処理を行わずに、入力信号を直接フォーマッタ５１に供給することもできる。また、エンコーダ部５０は、デジタル変換されたデジタルビデオ信号やデジタルオーディオ信号を、ビデオミキシング部７１やオーディオセレクタ７６に直接供給することもできる。
【００２５】
フォーマッタ５１によってフォーマット変換された情報（ビデオ、オーディオ、副映像データなどのパック）は、データプロセッサ部１００３を介してハードディスクドライブ部２００１および／または光ディスクドライブ部１００２に供給され、ハードディスクや光ディスク１００１等の記憶媒体に記録される。また、ハードディスクあるいは光ディスク１００１に記録された情報を、データプロセッサ部１００３、光ディスクドライブ部１００２を介して、光ディスク１００１あるいはハードディスクに記録することもできる。
【００２６】
記憶媒体に情報を記録する場合、フォーマッタ５１は、切り分け情報を作成して定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などが含まれる。
【００２７】
また、記憶媒体に情報を記録する際には、マイクロコンピュータブロック３０のＭＰＵは、当該記録される情報を再生するのに必要な管理情報を作成する。ＭＰＵは、記録終了のコマンドを認識すると、作成した管理情報をデータプロセッサ部１００３に送る。これにより、管理情報が記憶媒体に記録される。
【００２８】
記憶媒体に記憶された録画番組を途切れることなく再生するために、データプロセッサ部１００３がアクセス（シーク）する録画番組データの最低限連続する情報単位（サイズ）が予め決められている。この情報単位の記憶エリアをＣＤＡ（コンティギュアス・データ・エリア）という。ＣＤＡサイズは、ＥＣＣ（エラー訂正コード）ブロック（１６セクタ）の倍数であり、データの記憶はこのＣＤＡ単位で行われる。データプロセッサ部１００３は、エンコーダ部５０からＶＯＢＵ単位のデータを受け取り、ＣＤＡ単位のデータを光ディスクドライブ部１００２あるいはハードディスクドライブ部２００１に供給する。
【００２９】
エンコーダ部５０が、例えば２つのＭＰＥＧエンコーダを含む場合、エンコーダ部５０は２系統の信号をエンコード処理することが可能である。例えば、地上波アナログチューナ４１ｂで受信した番組をハードディスクドライブ部２００１でＤＶＤ−ＶＲ録画し、同時に、衛星アナログチューナ４１ｅで受信した番組を光ディスク１００１でＤＶＤ−ＶＲ録画するといった処理を行うことができる。
【００３０】
また、トランスポートストリームから抽出したパケットエレメンタリーストリームがエンコーダ部５０から直接ハードディスクドライブ部２００１のハードディスクに記録される場合もある。エンコーダ部５０が１つのＭＰＥＧエンコーダしか持たない場合でも、地上波デジタルチューナ４１ｃまたは衛星デジタルチューナ４１ｄを介してエンコーダ部５０に入力された番組データ（ＭＰＥＧ２−ＴＳ）をハードディスクドライブ部２００１でストリーム記録し、同時に、他のチューナを介して入力される放送番組データを、この１つのＭＰＥＧエンコーダによってエンコード処理することも可能である。
【００３１】
デコーダ部６０は、図示しないセパレータ、ビデオデコーダ、副映像デコーダ、オーディオデコーダ、ビデオプロセッサを備えている。セパレータは、パック構造を持つＤＶＤフォーマットの信号から各パックを分離して取り出す。ビデオデコーダは、セパレータによって分離された主映像データ（ビデオパックの内容）のデコード処理を行う。副映像デコーダは、セパレータによって分離された副映像データ（副映像パックの内容）のデコードを行う。セパレータによって分離されたオーディオデータ（オーディオパックの内容）はオーディオデコーダによってデコードされる。ビデオプロセッサは、デコードされた主映像にデコードされた副映像を適宜合成し、主映像にメニュー、ハイライトボタン、字幕やその他の副映像を重ねて出力する。デコーダ部６０はさらに、パック分離やその他の信号処理実行時に使用されるメモリを有する。
【００３２】
デコーダ部６０から出力されるビデオ信号は、ビデオミキシング部７１に入力される。ビデオミキシング部７１は、例えばテキストデータの合成を行う。またビデオミキシング部７１には、ＡＶ入力部４１aや地上波アナログチューナ４１ｂ、地上波デジタルチューナ４１ｃ、衛星デジタルチューナ４１ｄ、衛星アナログチューナ４１ｅからの信号を直接取り込むラインもまた接続されている。ビデオミキシング部７１には、バッファとして用いるフレームメモリ７２が接続されている。ビデオミキシング部７１から出力されるビデオ信号は、Ｉ／Ｆ（インタフェース）７３を介して外部出力される。あるいは、ビデオミキシング部７１から出力されるビデオ信号は、デジタルアナログ変換器７４によってアナログ変換され、モニターディスプレイ３００１に出力される。
【００３３】
デコーダ部６０から出力されるオーディオ信号は、セレクタ７６を介してデジタルアナログ変換器７７に入力する。デジタルアナログ変換器７７は、デジタルオーディオ信号をアナログ変換し、外部（例えばスピーカ）に出力する。セレクタ７６は、マイクロコンピュータブロック３０からのセレクト信号により制御され、チューナ４１ｂ〜４１ｅやＡＶ入力部４１aからのデジタル信号を直接モニタする時、エンコーダ部５０をスルーした信号を直接選択することも可能である。
【００３４】
なお、マイクロコンピュータブロック３０は、ＳＴＣ（システムタイムクロック）３８からの時間データに基づいて、光ディスクドライブ部１００２、ハードディスクドライブ部２００１、データプロセッサ部１００３、エンコーダ部５０、デコーダ部６０などを制御する。録画や再生の動作は、通常はＳＴＣ３８からのタイムクロックに同期して実行されるが、それ以外の処理はＳＴＣ３８とは独立したタイミングで実行されてもよい。
【００３５】
マイクロコンピュータブロック３０は、地上波アナログ放送の電子番組サービス（東京地区ではＡＤＡＭＳ：TV-Asahi Data and Multimedia Service）あるいは地上波／衛星デジタル放送の電子ガイド情報／電子番組ガイド（ＥＰＧ）サービスを利用して、電子番組表情報（放送番組だけでなく種々な情報サービスも含む）を取得することができる。また、ネットワーク２００を介して外部のサーバ２１０から電子番組案内情報（ＤＥＰＧ）を取り込むことも可能である。
【００３６】
取得された電子番組表情報は、番組情報管理部３２１によって管理される。番組情報管理部３２１は、マイクロコンピュータブロック３０が有するＲＯＭに、図２に示すような番組情報管理テーブルを設けて、電子番組表情報を管理する。図２の例では、放送番組ごとに「チャンネル」、「放送日」、「放送開始時刻」、「番組長」、「番組名」等のデータが記憶されている。また、ユーザが録画予約を行った番組には、「予約済み」属性が付与されている。番組情報管理部３２１は、毎日決まった時間、あるいは毎週決まった曜日の決まった時間に放送されるシリーズものの番組等、関連性のある番組については、「シリーズ名」等の関連性を示す情報も管理する。放送曜日や放送時間帯が異なっても、同じシリーズに属する番組には、同じシリーズ名が付されている。番組情報管理部３２１は通常、所定期間（例えば１週間）分の電子番組表情報を管理する。
【００３７】
ハードディスクや光ディスク等の記憶媒体に記録された録画済み番組（録画コンテンツ）の情報は、録画番組情報管理部３２２によって管理される。録画番組情報管理部３２２は、マイクロコンピュータブロック３０が有するＲＯＭに、図３に示すような録画済み番組情報テーブルを設けて、録画済み番組の情報を管理する。図３の例では、録画済み番組の「番組名」、「録画品質」、「録画長」、「チャンネル」、「放送日」、「放送開始時刻」、「視聴情報」、「シリーズ名」等のデータが記憶されている。図３は、ハードディスクに録画された番組の情報を管理するための録画済み番組情報テーブルである。録画済み番組情報テーブルを記憶媒体ごとに設け、記憶媒体ごとに録画済み番組情報を管理してもよいが、複数の記憶媒体に録画された番組の情報を一つの録画済み番組情報テーブルに記憶し、一括して管理するようにしてもよい。
【００３８】
また、録画番組情報管理部３２２は、録画済み番組（録画コンテンツ）のユーザの利用傾向を示す情報も管理する。図４は、録画番組情報管理部３２２が管理する、マイクロコンピュータブロック３０が有するＲＯＭに設けられた「見て消しリスト」の一例である。見て消しリストには、ユーザが再生後すぐに削除する傾向がある放送シリーズのシリーズ名が格納される。
【００３９】
録画番組リスト表示制御部３２３は、記憶媒体に記憶された録画番組のリストＤ１を、ユーザの指示に応じてモニターディスプレイ３００１に表示させる（図７参照）。
【００４０】
録画番組リストＤ１に一覧表示された録画番組から一つの録画番組が選択されると、関連コンテンツ検出部３２４は、当該選択された録画番組に関連するコンテンツの情報を、選択録画番組のシリーズ名に基づいて、番組情報管理テーブル（図２参照）、及び録画済み番組情報テーブル（図３参照）から検出する。また、ネットワークを介してサーバ２１０からも関連コンテンツ（番組コンテンツや音楽コンテンツ）の情報を取得する。
【００４１】
操作支援画面生成部３２５は、関連コンテンツ検出部３２４が検出した関連コンテンツ情報を用いて、ユーザが次に行う操作を提示するための操作支援画面データを生成する。
【００４２】
操作支援画面表示制御部３２６は、操作支援画面生成部３２５が生成したデータに基づいて操作支援画面をモニターディスプレイ３００１に表示させる（図９参照）。操作支援画面は、選択された録画番組の関連コンテンツに応じた操作を、ユーザに提示、推薦するものである。
【００４３】
次に、記憶再生装置の本実施の形態による録画番組の再生処理及び、記憶媒体からの削除処理について説明する。
【００４４】
図５は、再生制御部３１１が実行する録画番組再生処理のフローチャートである。
【００４５】
ユーザによって、記憶媒体に記憶されたいずれかの録画番組の再生が指示されると、再生制御部３１１は、この再生が指示された番組のシリーズ名を「前回再生のシリーズ名」として、マイクロコンピュータブロック３０が有するＲＯＭに記憶する（ブロックＡ１）。シリーズ名を持たない番組の場合は、番組名を「前回再生のシリーズ名」として記憶するようにしてもよい。ここで記憶された「前回再生のシリーズ名」は、図６の番組削除処理において、録画番組情報管理部３２２によって参照される。
【００４６】
その後、再生制御部３１１は、当該再生を指示された録画番組の再生処理を行う（ブロックＡ２）。再生制御部３１１は、記憶媒体に記憶された録画番組のデータを読み出し、デコーダ部６０によってデコード処理させて、モニターディスプレイ３００１やスピーカに出力する。
【００４７】
図６は、録画番組情報管理部３２２によって実行される番組削除処理のフローチャートである。
【００４８】
ユーザによっていずれかの録画番組を記憶媒体からの削除するよう指示されると、録画番組情報管理部３２２は、削除が指示された番組のシリーズ名（シリーズ名を持たない番組の場合はその番組名）と、図５の録画番組再生処理において、「前回再生のシリーズ名」として記憶されたシリーズ名とが同じであるか否かを判断する（ブロックＢ１）。すなわち、再生制御部３１１によって最後に再生された番組のシリーズ名と、今回削除が指示された番組のシリーズ名とが同じであるか否かが判断される。
【００４９】
「前回再生のシリーズ名」と、今回削除が指示された番組のシリーズ名とが同じである場合（ブロックＢ１でＹＥＳ）、録画番組情報管理部３２２は、このシリーズ名が、見て消しリストに含まれているか否かを判断する（ブロックＢ２）。当該シリーズ名が、見て消しリストに含まれていない場合には（ブロックＢ２でＮＯ）、録画番組情報管理部３２２は、このシリーズ名を見て消しリストに追加する（ブロックＢ３）。その後、記録制御部３１２は、削除が指示された番組を記憶媒体から削除する（ブロックＢ４）。また、当該シリーズ名が、見て消しリストに含まれている場合には（ブロックＢ２でＹＥＳ）、記録制御部３１２はそのまま、削除が指示された番組を記憶媒体から削除する（ブロックＢ４）。すなわち、再生制御部３１１が最後に再生したシリーズの番組を削除する場合、当該番組のシリーズ名が見て消しリストに格納される。
【００５０】
一方、「前回再生のシリーズ名」と、今回削除が指示された番組のシリーズ名とが同じではない場合（ブロックＢ１でＮＯ）、録画番組情報管理部３２２は、この削除が指示された番組のシリーズ名が、見て消しリストに含まれているか否かを判断する（ブロックＢ５）。当該シリーズ名が、見て消しリストに含まれている場合には（ブロックＢ５でＹＥＳ）、録画番組情報管理部３２２は、見て消しリストからこのシリーズ名を削除する（ブロックＢ６）。その後、記録制御部３１２は、削除が指示された番組を記憶媒体から削除する（ブロックＢ４）。また、当該シリーズ名が、見て消しリストに含まれていない場合には（ブロックＢ５でＮＯ）、記録制御部３１２はそのまま、削除が指示された番組を記憶媒体から削除する（ブロックＢ４）。すなわち、再生制御部３１１が最後に再生したシリーズ以外の番組を削除する場合には、当該番組のシリーズ名が見て消しリストから削除される。
【００５１】
このようにして、ユーザの録画番組の利用傾向（ユーザが番組を視聴したらすぐに消去する傾向があるか否かの操作志向性）が、番組シリーズごとに、見て消しリストによって管理される。
【００５２】
次に、記憶再生装置の本実施の形態による操作支援処理について説明する。
【００５３】
図７は、録画番組リスト表示制御部３２３が、ユーザの指示に応じてモニターディスプレイ３００１に表示させる録画番組（録画コンテンツ）リストＤ１の一例を示す。図７の例では、ハードディスクドライブ部２００１に記憶されている録画番組が一覧表示されている。
【００５４】
この録画番組リストＤ１から、ユーザはキー入力部４４のカーソルキーを操作して一つの録画番組を選択することができる。選択された録画番組は、録画番組リスト上で強調表示される（図７の「水１０のおんな  ＃１」）。いずれかの録画番組が選択された上で、ユーザが所定のキー（本実施形態では停止キー）を操作すると、図８に示す操作支援処理が開始される。
【００５５】
図８は、本実施形態による操作支援処理のフローチャートである。
【００５６】
録画番組が選択された上で停止キーが操作され、操作支援処理が開始すると、関連コンテンツ検出部３２４は、この選択された録画番組に関連するコンテンツ（本実施形態においては、同じシリーズ名が与えられているコンテンツ）を検出する（ブロックＣ１）。ここで、関連コンテンツ検出部３２４は、録画済み番組情報テーブル（図３参照）から、選択された録画番組と同じシリーズ名の番組を検出する。また、番組情報管理テーブル（図２参照）から、選択された録画番組と同じシリーズ名の番組が検出される。さらに、関連コンテンツ検出部３２４は、選択された録画番組と同じシリーズ名が与えられているコンテンツを、ネットワークを介してサーバ２１０からも取得する。サーバ２１０から取得可能な関連コンテンツには、例えば、当該番組に関連する宣伝広告情報や、サーバが配信する番組コンテンツや音楽コンテンツ等がある。
【００５７】
次に、操作支援画面生成部３２５は、関連コンテンツ検出部３２４によって検出された関連コンテンツ情報を用いて、操作支援メニューＤ２の表示データを生成する（ブロックＣ２）。操作支援画面表示制御部３２６は、操作支援画面生成部３２５が生成したデータに基づいて、図９に示すような操作支援メニューＤ２を録画番組リストＤ１上にポップアップ表示する（ブロックＣ３）。操作支援画面表示制御部３２６は、モニターディスプレイ３００１に操作支援メニューＤ２を初期表示する際に、所定のメニュー項目を強調表示するようにしてもよい。
【００５８】
図９は、録画番組リストＤ１上にポップアップ表示された操作支援メニューＤ２の一例を示す図である。
【００５９】
図９に示す操作支援メニューＤ２には、「選択番組の削除」、「関連録画番組の再生」、「関連番組の録画予約」、「操作支援メニューを閉じる」等のメニュー項目が含まれている。
【００６０】
例えば「水１０のおんな  ＃１」という録画番組が選択されている場合には、関連コンテンツ検出部３２４はブロックＣ１において、録画済み番組情報テーブル（図３参照）から「水１０のおんな  ＃１」に関連し、すでに記憶媒体に録画されている番組「水１０のおんな  ＃２」を検出し、番組情報管理テーブル（図２参照）から「水１０のおんな  ＃１」に関連し、放送が予定されている番組「水１０のおんな  ＃３」を検出する。
【００６１】
操作支援画面生成部３２５は、関連コンテンツ検出部３２４による検出結果に基づいて操作支援メニューデータを生成する。すなわち、操作支援画面生成部３２５は、上述の「選択番組の削除」項目として「水１０のおんな  ＃１を削除」というメニュー文言を、「関連録画番組の再生」項目として「水１０のおんな  ＃２を再生」というメニュー文言を、「関連番組の録画予約」項目として「水１０のおんな  ＃３を予約」というメニュー文言を含む操作支援メニューＤ２のデータを生成する。
【００６２】
ここで、各メニュー項目の表示の順序は、図１０に示すメニューＩＤテーブルに基づいて決定される。選択された番組のシリーズ名が見て消しリストに含まれている場合には、「選択番組の削除」のメニュー項目のメニューＩＤには「１０００」が与えられ、見て消しリストに含まれていない場合は「４０００」が与えられる。また、「関連録画番組の再生」のメニュー項目のメニューＩＤには「２０００」が、「関連番組の録画予約」のメニューＩＤには「３０００」が与えられる。関連コンテンツ検出部３２４が、選択録画番組に関連するコンテンツや宣伝広告情報等のサーバサービス項目をサーバ２１０から取得した場合には、「サーバサービス」のメニュー項目のメニューＩＤには、サーバ２１０が指定した値が付与される。
【００６３】
このメニューＩＤは、操作支援メニューＤ２内での表示順序を表す。操作支援画面生成部３２５は、メニューＩＤが小さいメニュー項目から順に表示されるように操作支援メニューデータを生成する。
【００６４】
図９の例では、選択録画番組「水１０のおんな  ＃１」が、見て消しリスト（図４参照）に格納されている「水１０のおんな」シリーズの番組であるため、「選択番組の削除」項目にはメニューＩＤとして１０００が割当てられている。このため、図９の操作支援メニューＤ２では、「水１０のおんな  ＃１  を削除」のメニュー項目が上位に表示されている。
【００６５】
一方、この「水１０のおんな」シリーズが見て消しリストから削除されたような場合には、「選択番組の削除」項目のメニューＩＤには４０００が与えられる。この場合、操作支援メニューＤ２の表示は図１１のようになり、「水１０のおんな  ＃１  を削除」のメニュー項目が下位に表示されるようになる。
【００６６】
また、関連コンテンツ検出部３２４が、選択録画番組に関連するサーバサービスコンテンツをサーバ２１０から取得した場合には、「サーバサービス」のメニュー項目のメニューＩＤには、サーバ２１０が指定した値が付与される。
【００６７】
図１２は、関連コンテンツ検出部３２４が、選択録画番組に関連する宣伝情報を取得した場合に表示される操作支援メニューＤ２の一例を示す。図１２の例では、「水１０のおんなのＤＶＤ発売」というコンテンツ情報が与えられている。サーバ２１０が、サーバサービスに対応するメニューＩＤとして例えば１１００といった値を与えた場合に、図１２のように「サーバサービス」のメニュー項目が上から２番目に表示される。
【００６８】
また、操作支援画面表示制御部３２６が操作支援メニューＤ２を初期表示する際に強調表示するメニュー項目を、サーバ２１０が指定できるようにしてもよい。関連コンテンツ検出部３２４が、サーバサービス情報に加えて、強調表示するメニュー項目のメニューＩＤもサーバ２１０から取得した場合には、操作支援画面表示制御部３２６は、当該メニューＩＤに対応するメニュー項目を強調表示する。
【００６９】
図１２の例では、サーバ２１０から、強調表示するメニューＩＤとして１１００が送信されているので、このメニューＩＤに対応する「サーバサービス」の項目が強調表示されている。
【００７０】
また、操作支援メニューＤ２にどのようなメニュー項目を含めるかを、サーバ２１０が指定できるようにしてもよい。関連コンテンツ検出部３２４が、サーバサービス情報に加えて、操作支援メニューＤ２に含めるメニュー項目及びそのメニューＩＤもサーバ２１０から取得した場合には、操作支援画面表示制御部３２６は、サーバ２１０が指定するメニュー項目を、サーバ２１０が指定する順序で表示させる。
【００７１】
関連コンテンツ検出部３２４が、録画済み番組情報テーブル（図３参照）から、選択番組の関連番組を複数検出した場合には、「関連録画番組の再生」項目のメニュー文言に取り入れられる関連番組が一つ選択される必要がある。この場合、例えば選択番組より後の放送回の番組が、放送回の順に選択される、あるいは、未視聴の録画番組から優先的に選択される等、所定の選択規則に従って、一つの番組が選択される。ここで、例えば上述の「水１０のおんな」シリーズの番組の場合、放送回は、番組名に含まれる“＃”の後の数字によって指定されている。
【００７２】
また、関連コンテンツ検出部３２４が、電子番組表から選択番組の関連番組を複数検出した場合にも、「関連番組の録画予約」項目のメニュー文言に取り入れられる関連番組が一つ選択される必要がある。この場合も、例えば選択番組より後の放送回の番組が、放送回の順に選択される、あるいは選択番組の放送時間帯と近い時間帯に放送が予定されている関連番組を優先的に選択する、といった選択規則が予め与えられている。
【００７３】
なお、この選択規則は、上述の例に限らず、放送開始日時が一番早いものが選択されてもよいし、処理対象番組の続きの回の放送が優先的に選択されるようにしてもよい。選択規則をユーザが任意に設定できるようにしてもよい。
【００７４】
以上のようにして操作支援メニューＤ２が表示されると（ブロックＣ３）、ユーザは、表示された操作支援メニューＤ２からいずれかのメニュー項目を選択することができる（ブロックＣ４）。
【００７５】
「操作支援メニューを閉じる」のメニュー項目が選択されるか、または終了キーが操作されて、操作支援処理の終了が指示されると（ブロックＣ４の「終了」）、本操作支援処理は終了する。
【００７６】
「選択番組の削除」のメニュー項目が選択された場合には（ブロックＣ４の「削除」）、記録制御部３１２は、当該選択番組のデータを記憶媒体から削除する（ブロックＣ５）。または、ここではデータの削除を行わずに、所定のゴミ箱フォルダに番組データを移動するようにしてもよい。あるいは、削除確認画面をモニターディスプレイ３００１に表示させるようにしてもよい。
【００７７】
「関連録画番組の再生」のメニュー項目が選択された場合には（ブロックＣ４の「再生」）、「関連録画番組の再生」項目のメニュー文言に取り入れられている録画番組（図９の例では「水１０のおんな  ＃２」）の再生処理が、再生制御部３１１によって実行される（ブロックＣ６）。
【００７８】
「関連番組の録画予約」のメニュー項目が選択された場合には（ブロックＣ４で「予約」）、「関連番組の録画予約」項目のメニュー文言に取り入れられている番組（図９の例では「水１０のおんな  ＃３」）の録画予約処理が、予約録画制御部３１３によって実行される（ブロックＣ７）。この録画予約処理では、同じシリーズの番組を毎回予約録画するように設定することもできる。
【００７９】
「サーバサービス」の項目が選択された場合（ブロックＣ４で「サービス利用」）、サーバ２１０から送信されたサーバサービス利用画面が、モニターディスプレイ３００１に表示され、サーバサービス利用処理が行われる（ブロックＣ８）。サーバ２１０が選択録画番組に関連するコンテンツを提供している場合には、このコンテンツの再生を行うことができる。また、図１２のように、選択録画番組に関連する宣伝情報として、ＤＶＤの発売情報がサーバ２１０から提供されている場合、このＤＶＤの購入予約画面がモニターディスプレイ３００１に表示され、ＤＶＤの購入予約を行うことができる。
【００８０】
以上のように、本実施の形態では、録画番組リストＤ１上でいずれかの録画番組を選択し、所定のキー操作を行うと、選択された録画番組の関連番組及びこの関連番組についてユーザが次に行うと予想される操作項目を含む操作支援メニューＤ２が表示され、ユーザに次の操作を推薦提示することができる。また、操作項目の表示順をユーザの視聴傾向に合わせて決定することもできる。操作項目の表示順をサーバ２１０が指定することも可能である。
【００８１】
このためユーザは、選択された番組に関連する録画番組（同じシリーズの番組）の再生を指示するために、当該関連録画番組を録画番組リストから探し出す手間をかける必要がない。また、選択された番組に関連する番組（同じシリーズの番組）を番組表から探し出す手間をかけずに、当該関連番組の録画予約を指示することができる。さらに、ユーザが視聴後すぐに消すような見方をしているシリーズの番組が選択されている場合は、選択された録画番組の削除の項目が操作支援メニューＤ２の上位に表示される。このため、ユーザは、見て直ぐ消すという見方をしているシリーズの番組を、少ない操作手数で簡単に削除できる。
【００８２】
本実施形態では、ユーザが操作支援メニューＤ２から選択するメニュー項目に応じて、番組削除、再生、予約、サーバサービスの利用が行われた。これに加えて、「コンテンツ保護」の項目を選択し、コンテンツの誤消去を防止できるようにしてもよい。
【００８３】
第２実施形態
次に本発明の第２実施形態を説明する。第２実施形態で第１実施形態と対応する部分は対応する参照数字を付して詳細な説明は省略する。第２実施形態の構成は図１に示すブロック図で表される。
【００８４】
第１実施形態では、図８の操作支援処理のブロックＣ３において、操作支援画面表示制御部３２６は、操作支援画面生成部３２５が生成したデータに基づいて、操作支援メニューＤ２を録画番組リストＤ１上にポップアップ表示させた。本実施形態では、操作支援画面表示制御部３２６は、モニターディスプレイ３００１の表示を、録画番組リストＤ１から操作支援リストＤ３に切り替える。
【００８５】
本実施形態においても、録画番組リスト表示制御部３２３は、ユーザの指示に応じて図７に示すような録画番組（録画コンテンツ）リストＤ１をモニターディスプレイ３００１に表示させる。この録画番組リストＤ１からいずれかの録画番組が選択された上で、ユーザが所定のキー（本実施形態では停止キー）を操作すると、図１３に示す操作支援処理が開始される。
【００８６】
操作支援処理が開始されると、関連コンテンツ検出部３２４は、この選択された録画番組に関連するコンテンツ（同じシリーズ名を与えられているコンテンツ）の情報を、番組情報管理テーブル（図２参照）、録画済番組情報テーブル（図３参照）、及びサーバ２１０から検出する（ブロックＥ１）。
【００８７】
次に、操作支援画面生成部３２５は、関連コンテンツ検出部３２４によって検出された関連コンテンツ情報を用いて、操作支援リストＤ３の表示データを生成する（ブロックＥ２）。操作支援画面表示制御部３２６は、操作支援画面生成部３２５が生成したデータに基づいて、図１４に示すような操作支援リストＤ３をモニターディスプレイ３００１に表示させる（ブロックＥ３）。
【００８８】
図１４は、モニターディスプレイ３００１に表示された操作支援リストＤ３の一例を示す図である。操作支援リストＤ３には、関連コンテンツ検出部３２４によって検出された関連コンテンツがリスト表示されている。
【００８９】
例えば「水１０のおんな  ＃１」という録画番組が選択されている場合には、関連コンテンツ検出部３２４はブロックＥ１において、録画済番組情報テーブルから、「水１０のおんな  ＃１」と同シリーズで、すでに記憶媒体に録画されている「水１０のおんな  ＃２」及び「水１０のおんな  ＃３」の情報を検出し、番組情報管理テーブルから、放送が予定されている同シリーズの番組「水１０のおんな  ＃４」及び「水１０のおんな  ＃５」の情報を検出する。また、選択録画番組に関連する番組コンテンツ「水１０のおんな  スペシャル」の配信情報、及び関連する宣伝広告情報「水１０のおんなのＤＶＤ発売」情報がサーバ２１０から取得される。
【００９０】
操作支援画面生成部３２５は、関連コンテンツ検出部３２４による検出結果に基づいて操作支援リストデータを生成する。すなわち、操作支援画面生成部３２５は、検出されたコンテンツをリスト表示するための表示データを生成する。操作支援画面表示制御部３２６は、生成された表示データに基づいて、図１４に示す操作支援リストＤ３をモニターディスプレイ３００１に表示する。
【００９１】
検出された関連コンテンツは、例えばコンテンツの種類順、放送回の順、または放送日時順に、操作支援リストＤ３上に表示される。どのような表示順で関連コンテンツを表示するかを、サーバ２１０が指定できるようにしてもよい。関連コンテンツ検出部３２４が、サーバサービス情報に加えて、表示順を指定する情報をサーバ２１０から取得した場合には、操作支援画面表示制御部３２６は、サーバ２１０が指定する順序で関連コンテンツを表示させる。
【００９２】
図１４の例では、選択された録画番組自身である「水１０のおんな  ＃１」が強調表示されている。しかしながら、操作支援リストＤ３の初期表示の際に強調表示するコンテンツを、サーバ２１０が指定できるようにしてもよい。関連コンテンツ検出部３２４が、サーバサービス情報に加えて、強調表示する関連コンテンツの情報もサーバ２１０から取得した場合には、当該関連コンテンツが強調表示される。
【００９３】
以上のようにして操作支援リストＤ３がモニターディスプレイ３００１に表示されると（ブロックＥ３）、ユーザは、表示された操作支援リストＤ３からいずれかのコンテンツを、キー入力部４４の決定キーまたは削除キーを用いて選択することができる（ブロックＥ４）。
【００９４】
ユーザによるコンテンツ選択に応じて行われる動作は、選択されるコンテンツの種類と選択に用いられたキーの種類とに応じて決定される。
【００９５】
図１５は、コンテンツ選択に応じて行われる動作を決定するための動作決定テーブルである。
【００９６】
記憶媒体に記憶された録画番組（図１４の例では、「水１０のおんな  ＃１〜＃３」）が削除キーの操作によって選択された場合は、図１５の設定に従って、この選択された録画番組の削除が指示される（ブロックＥ４で「削除」）。記録制御部３１２は、選択された番組のデータを記憶媒体から削除する（ブロックＥ５）。または、ここではデータの削除を行わずに、所定のゴミ箱フォルダに番組データを移動するようにしてもよい。あるいは、削除確認画面をモニターディスプレイ３００１に表示させるようにしてもよい。
【００９７】
記憶媒体に記憶された録画番組（図１４の例では、「水１０のおんな  ＃１〜＃３」）またはサーバ２１０が配信するコンテンツ（図１４の例では、「水１０のおんな  スペシャル」）が決定キーの操作によって選択された場合は、図１５の設定に従って、この選択されたコンテンツの再生が指示される（ブロックＥ４で「再生」）。この場合、選択コンテンツの再生処理が、再生制御部３１１によって実行される（ブロックＥ６）。ここで、サーバ２１０が配信するコンテンツがサーバ２１０から取得できない場合には、所定のエラー表示が行われてもよい。
【００９８】
番組表情報から検出されたすでに予約済みの番組（図１４の例では「水１０のおんな  ＃４」）が、決定キーの操作によって選択された場合には、図１５の設定に従って、この選択された番組の予約確認が指示される（ブロックＥ４で「予約管理」）。予約録画制御部３１３は、選択された番組の録画予約情報をモニターディスプレイ３００１に表示するなどして、録画予約をユーザに確認させる（ブロックＥ７）。
【００９９】
また、予約済みの番組（図１４の例では「水１０のおんな  ＃４」）が、削除キーの操作によって選択された場合、図１５の設定に従って、この選択された番組の予約の削除が指示される（ブロックＥ４で「予約管理」）。予約録画制御部３１３は、選択された番組の録画予約をキャンセルする（ブロックＥ７）。
【０１００】
番組表情報から検出された、まだ予約されていない番組（図１４の例では「水１０のおんな  ＃５」）が、決定キーの操作によって選択された場合には、図１５の設定に従い、この選択された番組の録画予約が指示される（ブロックＥ４で「予約管理」）。予約録画制御部３１３は、選択された番組の録画を予約する（ブロックＥ７）。
【０１０１】
広告情報（図１４の例では、「水１０のおんな  ＤＶＤ発売」）が決定キーの操作によって選択された場合は、図１５の設定に従って、この選択された広告情報サービスの利用が指示される（ブロックＥ４で「サービス利用」）。この場合、サーバ２１０から送信されたサーバサービス利用画面が、モニターディスプレイ３００１に表示され、サーバサービス利用処理が行われる（ブロックＥ８）。ＤＶＤの発売情報が、サーバ２１０から提供されている場合には、このＤＶＤの購入予約画面がモニターディスプレイ３００１に表示されて、ＤＶＤの購入予約を行うことができる。
【０１０２】
その他の場合は（ブロックＥ４で「その他」）、操作支援リストの表示が続けられる（ブロックＥ４）。
【０１０３】
また、終了キーが操作されて、操作支援処理の終了が指示されると（ブロックＥ４の「終了」）、本操作支援処理は終了する。
【０１０４】
以上のように、本実施の形態では、録画番組リストＤ１上でいずれかの録画番組を選択し、所定のキー操作を行うと、ユーザが次に利用すると予想されるコンテンツを操作支援リストＤ３によって一覧表示することができる。
【０１０５】
このためユーザは、次に利用するコンテンツを番組表や録画番組リスト等から探し出す必要がない。
【０１０６】
本実施形態では、検出された関連コンテンツが全て操作支援リストＤ３にリスト表示されるため、関連コンテンツ検出部３２４が、多数の関連コンテンツを検出した場合であっても、これらの関連番組を操作支援リストＤ３から全て確認することができる。
【０１０７】
本実施形態では、ユーザが操作支援リストＤ３からコンテンツ選択すると、コンテンツの削除、再生、予約管理、サーバサービスの利用が行われた。これに加えて、「コンテンツ保護」を選択し、コンテンツの誤消去を防止できるようにしてもよい。
【０１０８】
また、操作支援リストＤ３上でのコンテンツ表示順は、ユーザの操作履歴に基づいて決定されてもよい。
【０１０９】
上述の第１及び第２実施形態では、同じシリーズ名が与えられたコンテンツを関連コンテンツであるとしたが、関連性は、シリーズ名以外の属性によって判断されてもよい。例えば、番組情報管理部３２１が管理する番組情報管理テーブルに番組ごとの「ジャンル」、「出演者」等の情報が記憶されているような場合は、これらの「ジャンル」、「出演者」情報等に基づいて、関連性が判断されてもよい。
【０１１０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１１１】
【図１】本発明の実施形態に係る情報記録再生装置（番組再生装置）の概略構成を示すブロック図。
【図２】電子番組表情報を管理するための番組情報管理テーブルを示す図。
【図３】録画済み番組の情報を管理するための録画済み番組情報テーブルを示す図。
【図４】見て消しリストの一例を示す図。
【図５】再生制御部が実行する録画番組再生処理のフローチャート。
【図６】録画番組情報管理部によって実行される番組削除処理のフローチャート。
【図７】録画番組（録画コンテンツ）リストＤ１の一例を示す図。
【図８】第１実施形態による操作支援処理のフローチャート。
【図９】録画番組リストＤ１上にポップアップ表示された操作支援メニューＤ２の一例を示す図。
【図１０】メニューＩＤテーブルの一例を示す図。
【図１１】操作支援メニューＤ２の一例を示す図。
【図１２】操作支援メニューＤ２の他の例を示す図。
【図１３】第２実施形態による操作支援処理のフローチャート。
【図１４】操作支援リストＤ３の一例を示す図。
【図１５】コンテンツ選択に応じて行われる動作を決定するための動作決定テーブルの一例を示す図。
【符号の説明】
【０１１２】
１００１…光ディスク、１００２…光ディスクドライブ部、１００３…データプロセッサ部、２００１…ハードディスクドライブ部、３０…マイクロコンピュータブロック、４１ａ…ＡＶ入力部、４１ｂ…地上波アナログチューナ、４１ｃ…地上波デジタルチューナ、４１ｄ…衛星デジタルチューナ、４１ｅ…衛星アナログチューナ、５０…エンコーダ部、６０…デコーダ部、３１１…再生制御部、３１２…記録制御部、３１３…予約録画制御部、３２１…番組情報管理部、３２２…録画番組情報管理部、３２３…録画番組リスト表示制御部、３２４…関連コンテンツ検出部、３２５…操作支援画面生成部、３２６…操作支援画面表示制御部、３００１…モニターディスプレイ。
【図１】
0004987664.tif 000002
【図２】
0004987664.tif 000003
【図３】
0004987664.tif 000004
【図４】
0004987664.tif 000005
【図５】
0004987664.tif 000006
【図６】
0004987664.tif 000007
【図７】
0004987664.tif 000008
【図８】
0004987664.tif 000009
【図９】
0004987664.tif 000010
【図１０】
0004987664.tif 000011
【図１１】
0004987664.tif 000012
【図１２】
0004987664.tif 000013
【図１３】
0004987664.tif 000014
【図１４】
0004987664.tif 000015
【図１５】
0004987664.tif 000016